(57)【要約】  ゴルフクラブヘッド及びゴルフクラブヘッド製造方法の実施形態は、概して本明細書に記載されている。一例では、ゴルフクラブヘッドは、第１の内部キャビティと、トウ部と、ヒール部と、トップ部と、ボトム部と、リア部と、フェース部を持つフロント部と、弾性ポリマー材料を持つ第２の内部キャビティとを有するボディ部を含んでもよい。ボディ部は、ボトム部上に配置された複数のポートを含んでもよい。他の実施例及び実施形態は、明細書で説明され、特許請求の範囲に記載される。【選択図】図４
2019519325.tif 000002
【特許請求の範囲】
【請求項１】
第１の内部キャビティ部と、トウ部と、ヒール部と、トップ部と、ボトム部と、リア部と、フェース部を持つフロント部と、前記リア部と前記ボトム部の位置又はその近傍の位置にある第２の内部キャビティ部とを有するボディ部と、
前記第２の内部キャビティ部と前記フロント部の間に位置し且つ前記トウ部と前記ヒール部の間に延設された複数のポートであり、その各ポートが前記ボトム部から前記第１の内部キャビティ部内に延びる、前記複数のポートと、
を備えたゴルフクラブヘッドであって、
前記第２の内部キャビティ部は、弾性ポリマー材料で少なくとも５０％が充填されていることを特徴とするゴルフクラブヘッド。
【請求項２】
請求項１に記載のゴルフクラブヘッドにおいて、
記第２の内部キャビティ部は、前記ボディ部内にあり且つ前記第１の内部キャビティ部とは別個であることを特徴とするゴルフクラブヘッド。
【請求項３】
請求項１に記載のゴルフクラブヘッドにおいて、
前記複数のポートのうちの少なくとも１つのポートは、前記第２の内部キャビティ部に接続され、
前記第２の内部キャビティ部は、前記少なくとも１つのポートから弾性ポリマー材料で充填されていることを特徴とするゴルフクラブヘッド。
【請求項４】
請求項１に記載のゴルフクラブヘッドにおいて、
前記トウ部と前記ヒール部の間に延設され且つ前記複数のポートと前記フロント部の間に位置する、前記ボトム部上の溝部を更に備えたことを特徴とするゴルフクラブヘッド。
【請求項５】
請求項１に記載のゴルフクラブヘッドにおいて、
前記複数のポートと実質的に平行に延設された、前記ボトム部上の溝部を更に備えたことを特徴とするゴルフクラブヘッド。
【請求項６】
請求項１に記載のゴルフクラブヘッドにおいて、
前記複数のポートは、前記トウ部と前記ヒール部の間の前記ボトム部の中央部に前記フェース部と実質的に同じ方向に延設された第１セットのポートと、前記第１セットのポートから前記トウ部と前記リア部に向かって延設された第２セットのポートと、前記第１セットのポートから前記ヒール部と前記リア部に向かって延設された第３セットのポートとを含むことを特徴とするゴルフクラブヘッド。
【請求項７】
請求項１に記載のゴルフクラブヘッドにおいて、
前記トウ部と前記ヒール部の間に前記フェース部と実質的に同じ方向に延設された前記ボトム部上の第１の溝部と、前記第１の溝部から前記トウ部と前記リア部に向かって延設された前記ボトム部上の第２の溝部と、前記第１の溝部から前記ヒール部と前記リア部に向かって延設された前記ボトム部上の第３の溝部とを更に備えたことを特徴とするゴルフクラブヘッド。
【請求項８】
第１の内部キャビティ部と、トウ部と、ヒール部と、トップ部と、ボトム部と、リア部と、フェース部を持つフロント部とを有するボディ部と、
前記ボディ部内にある第２の内部キャビティ部であり、前記リア部と前記ボトム部の近くに位置する第２の内部キャビティ部と、
第１の経路に沿って前記トウ部と前記ヒール部の間に延設された複数のポートであり、その各ポートが前記ボトム部から前記第１の内部キャビティ部内に延びる、前記複数のポートと、
前記第１の経路と実質的に同様な第２の経路に沿って前記トウ部と前記ヒール部の間に延設された前記ボトム部上の外側支持部であり、前記複数のポートと前記フロント部の間に位置する、前記外側支持部と、
を備えたゴルフクラブヘッドであって、
前記第２の内部キャビティ部は、弾性ポリマー材料で少なくとも５０％が充填されていることを特徴とするゴルフクラブヘッド。
【請求項９】
請求項８に記載のゴルフクラブヘッドにおいて、
記第２の内部キャビティ部は、前記第１の内部キャビティ部とは別個であることを特徴とするゴルフクラブヘッド。
【請求項１０】
請求項８に記載のゴルフクラブヘッドにおいて、
前記複数のポートのうちの少なくとも１つのポートは、前記第２の内部キャビティ部に接続され、
前記第２の内部キャビティ部は、前記少なくとも１つのポートから弾性ポリマー材料で充填されていることを特徴とするゴルフクラブヘッド。
【請求項１１】
請求項８に記載のゴルフクラブヘッドにおいて、
前記複数のポートは、前記トウ部と前記ヒール部の間に前記フェース部と実質的に同じ方向に延設された第１セットのポートと、前記第１セットのポートから前記トウ部と前記リア部に向かって延設された第２セットのポートと、前記第１セットのポートから前記ヒール部と前記リア部に向かって延設された第３セットのポートとを含むことを特徴とするゴルフクラブヘッド。
【請求項１２】
請求項８に記載のゴルフクラブヘッドにおいて、
前記外側支持部は、前記トウ部と前記ヒール部の間に前記フェース部と実質的に同じ方向に延設された第１の溝部と、前記第１の溝部から前記トウ部と前記リア部に向かって延設された第２の溝部と、前記第１の溝部から前記ヒール部と前記リア部に向かって延設された第３の溝部とを含むことを特徴とするゴルフクラブヘッド。
【請求項１３】
第１の内部キャビティ部と、トップ部と、ボトム部と、リア部と、フェース部を持つフロント部と、前記リア部と前記ボトム部の位置又はその近くの位置にある第２の内部キャビティ部と、トウ部と、ヒール部とを有するボディ部と、
前記第２の内部キャビティ部と前記フロント部の間の前記ボトム部上に前記トウ部と前記ヒール部の間の方向に延設された複数のポートであり、その各ポートがポート径と関連付けられた、前記複数のポートと、
を備えたゴルフクラブヘッドであって、
前記複数のポートのうちの隣接する各ポートは、ポート径以下の間隔を置いて配置され、
前記複数のポートは、前記トウ部から前記ヒール部までの最大距離の５０％以上に延設され、
前記第２の内部キャビティ部は、弾性ポリマー材料で少なくとも５０％が充填されていることを特徴とするゴルフクラブヘッド。
【請求項１４】
請求項１３に記載のゴルフクラブヘッドにおいて、
記第２の内部キャビティ部は、前記ボディ部内にあり且つ前記第１の内部キャビティ部とは別個であることを特徴とするゴルフクラブヘッド。
【請求項１５】
請求項１３に記載のゴルフクラブヘッドにおいて、
前記複数のポートのうちの少なくとも１つのポートは、前記第２の内部キャビティ部に接続され、
前記第２の内部キャビティ部は、前記少なくとも１つのポートから弾性ポリマー材料で充填されていることを特徴とするゴルフクラブヘッド。
【請求項１６】
請求項１３に記載のゴルフクラブヘッドにおいて、
前記トウ部と前記ヒール部の間に延設された、前記ボトム部上の溝部を更に備えたことを特徴とするゴルフクラブヘッド。
【請求項１７】
請求項１３に記載のゴルフクラブヘッドにおいて、
前記トウ部と前記ヒール部の間に延設され且つ前記複数のポートと前記フロント部の間に位置する、前記ボトム部上の溝部を更に備えたことを特徴とするゴルフクラブヘッド。
【請求項１８】
請求項１３に記載のゴルフクラブヘッドにおいて、
前記複数のポートと実質的に平行に延設された、前記ボトム部上の溝部を持つ外側支持部を更に備えたことを特徴とするゴルフクラブヘッド。
【請求項１９】
請求項１３に記載のゴルフクラブヘッドにおいて、
前記複数のポートは、前記トウ部と前記ヒール部の間に前記フェース部と実質的に同じ方向に延設された第１セットのポートと、前記第１セットのポートから前記トウ部と前記リア部に向かって延設された第２セットのポートと、前記第１セットのポートから前記ヒール部と前記リア部に向かって延設された第３セットのポートとを含むことを特徴とするゴルフクラブヘッド。
【請求項２０】
請求項１３に記載のゴルフクラブヘッドにおいて、
前記ボトム部上にある外側支持部を更に備え、
前記外側支持部は、前記トウ部と前記ヒール部の間に前記フェース部と実質的に同じ方向に延設された第１の溝部と、前記第１の溝部から前記トウ部と前記リア部に向かって延設された第２の溝部と、前記第１の溝部から前記ヒール部と前記リア部に向かって延設された第３の溝部とを含むことを特徴とするゴルフクラブヘッド。
【発明の詳細な説明】
【技術分野】
【０００１】
［著作権表示］
本開示は、著作権による保護の対象となり得る。著作権者は、特許商標庁の特許ファイル又は記録に表れるように、本開示又はその関連文書が何人かによりファクシミリ複製されることに異議を持たないが、そうでない場合には全ての著作権を留保する。
【０００２】
［相互参照］
本出願は、2016年6月30日に出願された米国仮出願第62/356,539号、2016年7月11日に出願された米国仮出願第62/360,802号、及び、2017年3月8日に出願された米国非仮出願第15/453,701号の優先権を主張する。上記で参照した出願の開示は、参照により本明細書に組み込まれる。
【０００３】
［技術分野］
本開示は、一般にスポーツ用品に関し、より具体的には、ゴルフクラブヘッド及びゴルフクラブヘッド製造方法に関する。
【背景技術】
【０００４】
ゴルフでは、種々の要因が、ゴルフボールの進む距離や方向に影響を与え得る。具体的には、ゴルフクラブヘッドの重心（ＣＧ）及び／又は慣性モーメント（ＭＯＩ）が、インパクト時のゴルフボールの打ち出し角、スピンレート、及び方向に影響を与え得る。このような要因が、ゴルフスイングのタイプによって大きく変化する。
【図面の簡単な説明】
【０００５】
【図１】図１は、本明細書に記載の器具、方法、及び製造物の一実施形態に関する例示的なゴルフクラブヘッドの上面斜視図である。
【０００６】
【図２】図２は、図１に例示したゴルフクラブヘッドの底面斜視図である。
【０００７】
【図３】図３は、図１に例示したゴルフクラブヘッドの平面図である。
【０００８】
【図４】図４は、図１に例示したゴルフクラブヘッドの底面図である。
【０００９】
【図５】図５は、図１に例示したゴルフクラブヘッドの正面図である。
【００１０】
【図６】図６は、図１に例示したゴルフクラブヘッドの背面図である。
【００１１】
【図７】図７は、図１に例示したゴルフクラブヘッドのトウ側から見た図である。
【００１２】
【図８】図８は、図１に例示したゴルフクラブヘッドのヒール側から見た図である。
【００１３】
【図９】図９は、図１に例示したゴルフクラブヘッドの例示的なボディ部の底面図である。
【００１４】
【図１０】図１０は、図１に例示したゴルフクラブヘッドの例示的なボディ部の断面図である。
【００１５】
【図１１】図１１は、図１に例示したゴルフクラブヘッドの２つのウェイトポートを示す図である。
【００１６】
【図１２】図１２は、図１に例示したゴルフクラブヘッドの例示的なウェイト部の平面図である。
【００１７】
【図１３】図１３は、図１０に例示したウェイト部の側面図である。
【００１８】
【図１４】図１４は、図１に例示したゴルフクラブヘッドの例示的な打ち出し軌道プロファイルを示す図である。
【００１９】
【図１５】図１５は、例示的なウェイト部の第１のウェイト配置を示す図である。
【００２０】
【図１６】図１６は、例示的なウェイト部の第２のウェイト配置を示す図である。
【００２１】
【図１７】図１７は、例示的なウェイト部の第３のウェイト配置を示す図である。
【００２２】
【図１８】図１８は、例示的なウェイト部の第４のウェイト配置を示す図である。
【００２３】
【図１９】図１９は、図１８に例示したゴルフクラブヘッドの例示的な打ち出し軌道プロファイルを示す図である。
【００２４】
【図２０】図２０は、本明細書で例示したゴルフクラブヘッドを製造する１つの方法を示す図である。
【００２５】
【図２１】図２１は、別の例示的なゴルフクラブヘッドの底面図である。
【００２６】
【図２２】図２２は、更に別の例示的なゴルフクラブヘッドの底面図である。
【００２７】
【図２３】図２３は、本明細書に記載の器具、方法、及び製造物の一実施形態に関する例示的なゴルフクラブヘッドの上面透視図である。
【００２８】
【図２４】図２４は、図２３に例示したゴルフクラブヘッドの底面透視図である。
【００２９】
【図２５】図２５は、図２３に例示したゴルフクラブヘッドの側面透視図である。
【００３０】
【図２６】図２６は、図２３に例示したゴルフクラブヘッドの側面透視図である。
【００３１】
【図２７】図２７は、本明細書に記載の器具、方法、及び製造物の一実施形態に関する例示的なゴルフクラブヘッドの上面透視図である。
【００３２】
【図２８】図２８は、図２７に例示したゴルフクラブヘッドの底面透視図である。
【００３３】
【図２９】図２９は、図２７に例示したゴルフクラブヘッドのヒール側透視図である。
【００３４】
【図３０】図３０は、図２７に例示したゴルフクラブヘッドのトウ側透視図である。
【発明を実施するための形態】
【００３５】
説明の簡素化及び明確化のために、図面は構造を一般的な方法で示し、周知の機能及び技術の説明及び詳細は本開示を不必要に不明瞭にすることを避けるために省略される。また、図面中の要素は必ずしも一定の縮尺では描かれない。例えば、図面中の一部の要素の寸法は、本開示の実施例の理解の改善を助けるために他の要素に対して誇張され得る。
【００３６】
一般に、ゴルフクラブヘッド及びゴルフクラブヘッド製造方法が本明細書に記載される。本明細書に記載の器具、方法、及び製造物は、これに限定されない。
【００３７】
図１〜図１３の例では、ゴルフクラブヘッド１００は、ボディ部１１０と、概して第１セットのウェイト部２１０（図２）及び第２セットのウェイト部２２０（図２）として示される、複数のウェイト部１２０とを含んでもよい。ボディ部１１０は、トップ１３０と、ボトム部１４０と、トウ部１５０と、ヒール部１６０と、フロント部１７０と、リア部１８０とを含んでもよい。ボトム部１４０は、フロント部１７０を除くトップ部１３０とボトム部１４０との間に、トウ部１５０からリア部１７０を回ってヒール部１６０に至るゴルフクラブヘッド１００の周囲を横断して設けられる、ゴルフクラブヘッド１００のサイド部として規定されたスカート部１９０を含んでもよい。ボトム部１４０は、推移領域２３０とウェイトポート領域２４０とを含んでもよい。例えば、ウェイトポート領域２４０は、Ｄ字状の領域であってもよい。ウェイトポート領域２４０は、複数のウェイト部１２０を受ける複数のウェイトポート９００（図９）を含んでもよい。フロント部１７０は、ゴルフボール（不図示）に対するフェース部１７５を含んでもよい。ボディ部１１０は、シャフト（不図示）を受けるホーゼル部１６５を含んでもよい。あるいは、ボディ部１１０は、ホーゼル部１６５に代えてボアを含んでもよい。例えば、ボディ部１１０は、部分的に又は完全に、アルミニウム系材料、マグネシウム系材料、スチール系材料、チタン系材料、それらの任意の組み合わせ、又は他の適切なタイプの材料で作製されてもよい。別の例では、ボディ部１１０は、部分的に又は完全に、セラミック材料、複合材料、それらの任意の組み合わせ、又は他の適切なタイプの材料のような非金属材料で作製されてもよい。
【００３８】
ゴルフクラブヘッド１００は、３００立方センチメートル（ｃｍ3又はｃｃ）以上のクラブヘッド体積を有してもよい。一例では、ゴルフクラブヘッド１００は、約４６０ｃｃであってもよい。あるいは、ゴルフクラブヘッド１００は、３００ｃｃ以下のクラブヘッド体積を有してもよい。具体的には、ゴルフクラブヘッド１００は、１００ｃｃ〜２００ｃｃの間のクラブヘッド体積を有してもよい。ゴルフクラブヘッド１００のクラブヘッド体積は、加重水置換法（すなわち、アルキメデスの原理）を用いて測ることができる。例えば、ゴルフ標準団体、及び／又は、全米ゴルフ協会（ＵＳＧＡ）及び／又は全英ゴルフ協会（Ｒ＆Ａ）等のような運営組織によって規定された手順を、ゴルフクラブヘッド１００のクラブヘッド体積を測定するために使用することができる。図１は特定のタイプのクラブヘッド（例えば、ドライバー型クラブヘッド）を示すが、本明細書に記載の器具、方法、及び製造物は、他のタイプのクラブヘッド（例えば、フェアウェイウッド型クラブヘッド、ハイブリッド型クラブヘッド、アイアン型クラブヘッド、パター型クラブヘッド、等）に適用されてもよい。本明細書に記載の器具、方法、及び製造物は、これに限定されない。
【００３９】
概して４０５、４１０、４１５、４２０、４２５、４３０、４３５（図４）として示される、第１セットのウェイト部２１０の各々は、第１の質量と関連付けられてもよい。概して４４０、４４５、４５０、４５５、４６０、４６５、４７０、４７５、４８０（図４）として示される、第２セットのウェイト部２２０の各々は、第２の質量と関連付けられてもよい。第１の質量は、第２の質量より大きくてもよく、又はその逆でもよい。一例では、第１セットのウェイト部２１０は、タングステン系材料で作製され得る一方で、第２セットのウェイト部２２０は、アルミニウム系材料で作製され得る。以下に詳細に説明するように、第１セットのウェイト部２１０及び第２セットのウェイト部２２０は、それぞれ、種々のウェイト配置を提供することができる（例えば、図１５〜図１８）。
【００４０】
図９〜図１１を参照すると、例えば、ボディ部１１０のボトム部１４０は、複数のウェイトポート９００を含んでもよい。概して９０５、９１０、９１５、９２０、９２５、９３０、９３５、９４０、９４５、９５０、９５５、９６０、９６５、９７０、９７５、９８０として示される、複数のウェイトポート９００は、ボトム部１４０のウェイトポート領域２４０の周縁に沿って配置される。複数のウェイトポート９００は、ボトム部１４０を横断して設けられてもよい。具体的には、複数のウェイトポート９００は、ボトム部１４０を横断して、トウ部１５０とヒール部１６０のそれぞれの間に設けられてもよい。複数のウェイトポート９００はまた、ボトム部１４０を横断して、フロント部１７０とリア部１８０のそれぞれの間に設けられてもよい。複数のウェイトポート９００は、概してＤ字状のループを画定する経路に沿ってボトム部１４０を横断して配置されてもよい。一例では、複数のウェイトポート９００は、ボトム部１４０を横断して、トウ部１５０とヒール部１６０のそれぞれの間の最大トウ−ヒール間距離５００の５０％以上に設けられてもよい。ゴルフクラブヘッド１００の最大トウ−ヒール間距離５００は、トウ部１５０とヒール部１６０のそれぞれの間で、トップ部１３０とボトム部１４０のそれぞれの間の推移領域から測定されてもよい。あるいは、最大トウ−ヒール間距離５００は、トウ部１５０とヒール部１６０のそれぞれの最外点の垂直投影間の水平距離であってもよい。例えば、最大トウ−ヒール間距離５００は、ゴルフクラブヘッド１００が約６０度のライ角５１０である場合に測定されてもよい。ヒール部１６０の最外点を容易に規定できない場合には、ヒール部１６０の最外点は、接地面５３０（すなわち、ゴルフクラブヘッド１００が置かれる水平面）の上側の約０．８７５インチ（２２．２３ミリメートル）の高さ５２０に決めてもよい。複数のウェイトポート９００は、ゴルフクラブヘッド１００の最大トウ−ヒール間クラブヘッド距離５００の５０％以上に設けられてもよい。具体的には、複数のウェイトポート９００は、ゴルフクラブヘッド１００の最大トウ−ヒール間クラブヘッド距離５００の５０％以上である最大トウ−ヒール間ウェイトポート距離９９５で、トウ部１５０とヒール部１６０の間に設けられてもよい。一例では、ゴルフクラブヘッド１００の最大トウ−ヒール間クラブヘッド距離５００は、５インチ（１２７ミリメートル）以上でなくともよい。したがって、複数のウェイトポート９００は、トウ部１５０とヒール部１６０のそれぞれの間の少なくとも２．５インチのウェイトポート最大トウ−ヒール間ウェイトポート距離に設けられてもよい。最大トウ−ヒール間ウェイトポート距離９９５は、トウ部１５０から最も遠いウェイトポートのヒール側の境界とヒール部１６０から最も遠いウェイトポートのトウ側の境界との間の最大距離であってもよい。図９の例では、ウェイトポート最大トウ−ヒール間ウェイトポート距離９９５は、ウェイトポート９４０のヒール側の境界とウェイトポート９８０のトウ側の境界との間の最大距離であってもよい。例えば、最大トウ−ヒール間ウェイトポート距離９９５は、約３．７インチであってもよい。ゴルフのルールが時々変更される（例えば、ゴルフ標準団体及び／又は運営組織によって、新たな規則が採用され、又は古い規定が撤廃又は修正される）ように、最大トウ−ヒール間クラブヘッド距離５００を測定するためのライ角５１０及び／又は高さ５２０も変更されてもよい。本明細書に記載の器具、方法、及び製造物は、これに限定されない。
【００４１】
複数のウェイトポート９００の各々は、（例えば、図１１に１１０５、１１１０として示される）ポート径（Ｄport）と関連付けられてもよい。例えば、複数のウェイトポート９００の各ウェイトポートのポート径は、約０．３インチ（７．６５ミリメートル）であってもよい。あるいは、隣接するウェイトポートのポート径は、異なってもよい。一例では、ウェイトポート９０５は、ポート径１１０５と関連付けられてもよく、ウェイトポート９１０は、ポート径１１１０と関連付けられてもよい。具体的には、ウェイトポート９０５のポート径１１０５は、ウェイトポート９１０のポート径１１１０より大きくてもよく、又はその逆でもよい。本明細書に記載の器具、方法、及び製造物は、これに限定されない。
【００４２】
ボトム部１４０はまた、外側面９９０を含んでもよい。図１０に示すように、例えば、複数のウェイトポート９００は、外側面９９０によって形成された外側面カーブ１０９０に対応してボトム部１４０に形成されてもよい。具体的には、複数のウェイトポート９００の各々は、概して１００５、１０１０、１０１５として示されるポート軸と関連付けられてもよい。ウェイトポートの中心は、ウェイトポートのポート軸を規定してもよい。各ポート軸は、ポート軸と外側面カーブ１０９０との交点で外側面カーブ１０９０に接する面に対して垂直又は実質的に垂直であってもよい。一例では、実質的に垂直とは、垂直から±５°のずれを指すものでもよい。別の例では、実質的に垂直とは、垂直から±３°のずれを指すものでもよい。垂直からのずれは、製造上の公差に依存してもよい。
【００４３】
一例では、ポート軸１０１０は、外側面カーブ１０９０の接平面１０１２に対して垂直又は実質的に垂直（すなわち、法線）であってもよい。複数の固定具が、種々の位置でのゴルフクラブヘッド１００の位置調整によって複数のウェイトポート９００を作製するために使用されてもよい。あるいは、ウェイトポートは、多軸加工プロセスによって作製されてもよく、複数のウェイトポート９００を形成するために余分な材料を（例えば、水ジェット切断及び／又はレーザー切断による）フライス加工で取り除くよう複数の軸の周りにゴルフクラブヘッドを回転させることができる。更に、多軸加工プロセスは、フライス工具を表面の周囲に接線方向に移動できるので、適切な表面仕上げを提供することができる。したがって、本明細書に記載の器具、方法、及び製造物は、ボトム部１４０に複数のウェイトポート９００の各々を形成するために多軸加工プロセスを使用してもよい。例えば、５軸フライス盤は、複数のウェイトポート９００の各々のポート軸１０００を外側面カーブ１０９０に対して垂直又は実質的に垂直となるように、複数のウェイトポート９００を形成することができる。５軸フライス盤の工具は、外側面９９０の外側面カーブ１０９０について接線方向に移動されてもよい。
【００４４】
図１１を参照すると、例えば、隣接する２つのウェイトポートは、外側面９９０上の隣接する２つのウェイトポート間の最短距離であるポート距離１１００で離されてもよい。具体的には、ポート距離１１００は、隣接する２つのウェイトポートのうちのいずれかのポート径以下であってもよい。一例では、ウェイトポート９０５と９１０の間のポート距離１１００は、ポート径１１０５又はポート径１１１０のいずれか以下であってもよい。本明細書に記載の器具、方法、及び製造物は、これに限定されない。
【００４５】
複数のウェイト部１２０は、類似又は異なる物理的特性（例えば、密度、形状、質量、体積、サイズ、色、等）を有してもよい。一例では、第１セットのウェイト部２１０は、黒色であり得る一方で、第２セットのウェイト部２２０は、灰色又は鋼色であり得る。複数のウェイト部１２０の幾つか又は全部は、部分的に又は完全に、スチール系材料、タングステン系材料、アルミニウム系材料、それらの任意の組み合わせ、又は適切なタイプの材料のような、金属材料で作製されてもよい。あるいは、複数のウェイト部１２０の幾つか又は全部は、部分的に又は完全に、非金属材料（例えば、複合材料、プラスチック、等）で作製されてもよい。
【００４６】
図１２、図１３に例を図示するように、複数のウェイト部１２０の各ウェイト部は、円筒形状（例えば、円形の断面）を有してもよい。上記の例は特定の形状を持つウェイト部を記載しているが、本明細書に記載の器具、方法、及び製造物は、他の適切な形状（例えば、球体、立方体、円錐、円柱、角錐、円錐台、立方体状、角柱、錐台、又は他の適切な幾何学的形状の一部又は全体）のウェイト部を含んでもよい。複数のウェイト部１２０の各ウェイト部は、直径１２００及び高さ１３００と関連付けられてもよい。一例では、複数のウェイト部１２０の各ウェイト部は、約０．３インチ（７．６２ミリメートル）の直径及び約０．２インチ（５．０８ミリメートル）の高さを有してもよい。あるいは、第１のウェイト部２１０第２セットのウェイト部２２０は、それぞれ、幅及び／又は高さが異なってもよい。
【００４７】
複数のウェイト部１２０の各ウェイト部は、他のゴルフクラブヘッドのようなリアからフロントに向かう方向に代えて、ボトムからトップに向かう方向の複数のウェイトポート４００の１つに係合してもよい。複数のウェイト部１２０は、ウェイトポートに固定するためのネジ山を含んでもよい。例えば、複数のウェイト部１２０の各ウェイト部は、ネジであってもよい。複数のウェイト部１２０は、工具有り又は無しで、ボディ部１１０から容易に取り外し可能でなくともよい。あるいは、複数のウェイト部１２０は、１以上のウェイト部１２０を比較的重い又は軽いウェイト部にそれぞれ付け替えることができるように、（例えば、工具有りで）容易に取り外し可能であってもよい。別の例では、複数のウェイト部１２０は、複数のウェイト部１２０を容易に取り外しできないように、エポキシ樹脂又は接着剤でボディ部１１０のウェイトポートに固定されてもよい。更に別の例では、複数のウェイト部１２０は、複数のウェイト部１２０を容易に取り外しできないように、エポキシ樹脂及びネジ山の両方でボディ部１１０のウェイトポートに固定されてもよい。更に、複数のウェイト部１２０の１以上のウェイト部は、（例えば、ウェイト部の底部に）ウェイト部の質量に対応する刻印を含んでもよい。一例では、ウェイト部は、ウェイト部が２．４グラムであることを示すために、底部にレーザーでエッチングされた「２．４」の刻印を含んでもよい。本明細書に記載の器具、方法、及び製造物は、これに限定されない。
【００４８】
他のゴルフクラブヘッドとは対照的に、ゴルフクラブヘッド１００は、少なくとも４つの異なるタイプのゴルフスイングに対応することができる。図１４に示すように、例えば、各ウェイト配置は、概して１４１０、１４２０、１４３０として示される、複数の打ち出し軌道プロファイル１４００の１つと関連付けられてもよい。図１５を参照すると、例えば、第１のウェイト配置１５００は、第１セットのウェイトポート１５１０の配置と関連付けられてもよい。第１セットのウェイトポート１５１０は、フロント部１７０又はその近傍に配置されてもよい（例えば、図９に例示するウェイトポート９０５、９１０、９１５、９２０、９２５、９３０、９３５）。第１のウェイト配置１５００では、第１セットのウェイト部は、第１セットのウェイトポート１５１０の配置に従ってフロント部１７０に向かって配置され得る一方で、第２セットのウェイト部は、リア部１８０に向かって配置され得る。具体的には、第１セットのウェイト部は、第１セットのウェイトポート１５１０の配置に従ってフロント部１７０又はその近傍でクラスターを形成してもよい。ウェイト部４０５、４１０、４１５、４２０、４２５、４３０、４３５は、第１セットのウェイト部を規定して、ウェイトポート９０５、９１０、９１５、９２０、９２５、９３０、９３５のそれぞれに配置されてもよい。ウェイト部４４０、４４５、４５０、４５５、４６０、４６５、４７０、４７５、４８０は、第２セットのウェイト部を規定して、ウェイトポート９４０、９４５、９５０、９５５、９６０、９６５、９７０、９７５、９８０のそれぞれに配置されてもよい。第１のウェイト配置１５００は、第１の打ち出し軌道プロファイル１４１０（図１４）と関連付けられてもよい。具体的には、第１のウェイト配置１５００は、ゴルフボールのスピンレートを減少させることができる。第１セットのウェイトポート１５１０の配置に従ってゴルフクラブヘッド１００のフロント部１７０に向かって比較的重いウェイト部（すなわち、第１セットのウェイト部）を配置することで、ゴルフクラブヘッド１００の重心（ＧＣ）を、比較的低い打ち出し及びスピン軌道を提供するように比較的前方及び下方に移動させることができる。その結果、第１の打ち出し軌道プロファイル１４１０は、比較的大きいロール距離（すなわち、地面に衝突した後の距離）と関連付けることができる。上記の例は、特定のウェイトポートにウェイト部を配置する記述であるが、第１セットのウェイト部２１０の任意のウェイト部は、第１セットのウェイトポート１５１０の任意のウェイトポートに配置されてもよい。
【００４９】
図１６を参照すると、例えば、第２のウェイト配置１６００は、第２セットのウェイトポート１６１０の配置と関連付けられてもよい。第２セットのウェイトポート１６１０は、リア部又はその近傍に配置されてもよい（例えば、図９に例示するウェイトポート９４５、９５０、９５５、９６０、９６５、９７０、９７５）。図１６に示す第２のウェイト配置１６００では、例えば、第１セットのウェイト部は、リア部１８０に向かって配置され得る一方で、第２セットのウェイト部は、フロント部１７０に向かって配置され得る。具体的には、第１セットのウェイト部は、第２セットのウェイトポート１６１０の配置に従ってリア部１８０又はその近傍でクラスター１６１０を形成してもよい。ウェイト部４０５、４１０、４１５、４２０、４２５、４３０、４３５は、第１セットのウェイト部を規定して、ウェイトポート９４５、９５０、９５５、９６０、９６５、９７０、９７５のそれぞれに配置されてもよい。ウェイト部４４０、４４５、４５０、４５５、４６０、４６５、４７０、４７５、４８０は、第２セットのウェイト部を規定して、ウェイトポート９０５、９１０、９１５、９２０、９２５、９３０、９３５、９４０、９８０のそれぞれに配置されてもよい。第２のウェイト配置１６００は、第２の打ち出し軌道プロファイル１４２０（図１４）と関連付けられてもよい。具体的には、第２のウェイト配置１６００は、ゴルフボールの打ち出し角を増加させ、寛容性を最大にすることができる。第２セットのウェイトポート１６１０の配置に従ってゴルフクラブヘッド１００のリア部１８０に向かって比較的重いウェイト部（すなわち、第１セットのウェイト部）を配置することで、ゴルフクラブヘッド１００の重心（ＧＣ）を、比較的高い打ち出し及びスピン軌道を提供するように比較的後方及び上方に移動させることができる。更に、ゴルフクラブヘッド１００の慣性モーメント（ＭＯＩ）を、水平軸（フロント−バック軸）と垂直軸（トップ−ボトム軸）の両方で増加させることができ、中心を外れた打撃のより高い寛容性を提供することができる。その結果、第２の打ち出し軌道プロファイル１４２０は、比較的大きいキャリー距離（すなわち、空中の距離）と関連付けることができる。
【００５０】
図１７を参照すると、例えば、第３のウェイト配置１７００は、第３セットのウェイトポート１７１０の配置と関連付けられてもよい。第３のウェイト配置１７００では、例えば、第１セットのウェイト部は、ヒール部１６０に向かって配置され得る一方で、第２セットのウェイト部は、トウ部１５０に向かって配置され得る。具体的には、第１セットのウェイト部は、第３セットのウェイトポート１７１０の配置に従ってヒール部１６０又はその近傍でウェイト部のクラスターを形成してもよい。ウェイト部４０５、４１０、４１５、４２０、４２５、４３０、４３５は、第１セットのウェイト部を規定して、ウェイトポート９２５、９３０、９３５、９４０、９４５、９５０、９５５のそれぞれに配置されてもよい。ウェイト部４４０、４４５、４５０、４５５、４６０、４６５、４７０、４７５、４８０は、第２セットのウェイト部を規定して、ウェイトポート９０５、９１０、９１５、９２０、９６０、９６５、９７０、９７５、９８０のそれぞれに配置されてもよい。第３のウェイト配置１７００は、第３の打ち出し軌道プロファイル１４３０（図１４）と関連付けられてもよい。具体的には、第３のウェイト配置１７００は、各人がゴルフクラブヘッド１００を比較的容易にターンオーバーすることを可能にすることができる（すなわち、ゴルフボールのインパクトに対してフェース部１７５を整える）。ゴルフクラブヘッド１００のヒール部１６０に向かって比較的重いウェイト部（すなわち、第１セットのウェイト部）を配置することで、ゴルフクラブヘッド１００の重心（ＧＣ）をシャフトの軸の比較的近くに移動させることができる。
【００５１】
図１８を参照すると、例えば、第４のウェイト配置１８００は、第４セットのウェイトポート１８１０の配置と関連付けられてもよい。第４のウェイト配置１８００では、例えば、第１セットのウェイト部は、トウ部１５０に向かって配置され得る一方で、第２セットのウェイト部は、ヒール部１６０に向かって配置され得る。具体的には、第１セットのウェイト部は、第４セットのウェイトポート１８１０の配置に従ってトウ部１５０又はその近傍でウェイト部のクラスターを形成してもよい。ウェイト部４０５、４１０、４１５、４２０、４２５、４３０、４３５は、第１セットのウェイト部を規定して、ウェイトポート９０５、９１０、９１５、９６５、９７０、９７５、９８０のそれぞれに配置されてもよい。ウェイト部４４０、４４５、４５０、４５５、４６０、４６５、４７０、４７５、４８０は、第２セットのウェイト部を規定して、ウェイトポート９２０、９２５、９３０、９３５、９４０、９４５、９５０、９５５、９６０のそれぞれに配置されてもよい。第４のウェイト配置１８００は、第３の打ち出し軌道プロファイル１４３０（図１４）と関連付けられてもよい。具体的には、第４のウェイト配置１８００は、各人がゴルフクラブヘッド１００をターンオーバーすることを妨げるようにしてもよい（すなわち、フェース部１７５をゴルフボールのインパクトに対してよりオープンにする）。ゴルフクラブヘッド１００のトウ部１５０に向かって比較的重いウェイト部（すなわち、第１セットのウェイト部）を配置することで、ゴルフクラブヘッド１００の重心（ＧＣ）をシャフトの軸から比較的遠くに移動させることができる。第４のウェイト配置１８００は、フェードのゴルフショット（図１９に示すように、例えば、右利きの人にとって、ゴルフボールがターゲット１９１０の左に向かって進み、ターゲットの右に向かって戻るように曲がる軌道又はボールの飛行）になることがある。本明細書に記載の器具、方法、及び製造物は、これに限定されない。
【００５２】
図２０は、本明細書に記載のゴルフクラブヘッド１００を製造する１つの方法を示す図である。図２０の例では、プロセス２０００は、複数のウェイト部を供給することで開始され得る（ブロック２０１０）。複数のウェイト部は、第１セットのウェイト部及び第２セットのウェイト部を含んでもよい。第１セットのウェイト部の各ウェイト部は、第１の質量と関連付けられ得る一方で、第２セットのウェイト部の各ウェイト部は、第２の質量と関連付けられ得る。第１の質量は、第２の質量より大きくてもよい。一例では、第１セットのウェイト部の各ウェイト部は、２．６グラムの質量のタングステン系材料で作製され得る一方で、第２セットのウェイト部の各ウェイト部は、０．４グラムの質量のアルミニウム系材料で作製され得る。第１セットのウェイト部の各ウェイト部は、対応する質量（例えば、２．６グラムに対する「２．６」）を示す刻印を含んでもよい。同様に、第２セットのウェイト部の各ウェイト部は、対応する質量（例えば、０．４グラムに対する「０．４」）を示す刻印を含んでもよい。第１セットのウェイト部は、灰色又は鋼色であり得る一方で、第２セットのウェイト部は、黒色であり得る。
【００５３】
プロセス２０００は、ゴルフクラブヘッドのボディ部を供給してもよい（ブロック２０２０）。ボディ部は、フロント部と、リア部と、トウ部と、ヒール部と、トップ部と、外側面カーブと関連付けられた外側面を持つボトム部と、トップ部とボトム部の間のスカート部とを含んでもよい。
【００５４】
プロセス２００は、ボトム部とスカート部、又はそれらの近傍に位置するウェイトポート領域を形成してもよい（ブロック２０３０）。推移領域は、ウェイトポート領域の周りを囲んでもよい。
【００５５】
プロセス２０００は、ウェイトポート領域の周縁に沿って複数のウェイトポートを形成してもよい（ブロック２０４０）。複数のウェイトポートの各ウェイトポートは、ポート径と関連付けられて、複数のウェイト部の少なくとも１つのウェイト部を受けるよう構成されてもよい。隣接する２つのウェイトポートは、ポート径以下で離されてもよい。更に、複数のウェイトポートの各ウェイトポートは、ポート軸と関連付けられてもよい。ポート軸は、ゴルフクラブヘッドのボトム部の外側面カーブの接平面に対して垂直又は実質的に垂直であってもよい。
【００５６】
図２０のプロセス２０００の例は、単に、ゴルフクラブヘッド１００を製造する１つの方法の例を図１〜図１９と共に提供し、説明している。アクションの特定の順序を図２０に示しているが、これらのアクションは、他の経時的な順番で実行されてもよい。例えば、図２０に示す２以上のアクションは、連続して、同時に、又は一斉に実行されてもよい。図２０は特定の数のブロックを示すが、プロセスは、１以上のブロックを実行しなくてもよい。本明細書に記載の器具、方法、及び製造物は、これに限定されない。
【００５７】
上記の例に示すように、複数のウェイト部１２０及び複数のウェイトポート９００は、概して図４に４９０、４９５として示すように、２つの弧で形成された概してＤ字状のループを画定する経路に沿ってウェイトポート領域２４０の周縁に配置されてもよい。例えば、ウェイト部４０５、４１０、４１５、４２０、４２５、４３０、４３５（図４）、及び、ウェイトポート９０５、９１０、９１５、９２０、９２５、９３０、９３５（図９）は、第１の弧４９０を形成してもよい。具体的には、第１の弧４９０は、トウ部１５０とヒール部１６０のそれぞれの間に、ボトム部１４０を横断して設けられてもよい。ウェイト部４４０、４４５、４５０、４５５、４６０、４６５、４７０、４７５、４８０（図４）、及び、ウェイトポート９４０、９４５、９５０、９５５、９６０、９６５、９７０、９７５、９８０（図９）は、第２の弧４９５を形成してもよい。第２の弧４９５は、概してボディ部１１０のリア部１８０の輪郭に従ってもよい。あるいは、第１の弧４９０及び第２の弧４９５は、ボトム部１４０を横断して設けられる他の形状のループ（例えば、概してＯ字状のループ）を画定してもよい。本明細書に記載の器具、方法、及び製造物は、これに限定されない。
【００５８】
上記の例は、特定の幾何学的形状に形成された複数のウェイト部１２０及び複数のウェイトポート９００を記載するが、本明細書に記載の器具、方法、および製造物は、他の幾何学的形状に形成されたウェイト部領域の周縁に沿って設けられたウェイト部及びウェイトポートを有してもよい。図２１を参照すると、例えば、ゴルフクラブヘッド２１００は、ボトム部２１１０と、複数のウェイトポート２１３０に配置された複数のウェイト部２１２０とを含んでもよい。複数のウェイトポート２１３０は、ボトム部２１１０のウェイトポート領域２１４０の周縁に沿って配置されてもよい（すなわち、複数のウェイトポート２１３０は、トウ部２１１２とヒール部２１１４のそれぞれの間にボトム部２１１０を横断して設けられてもよい）。複数のウェイト部１２０及び複数のウェイトポート９００（例えば、図４、図９）とは対照的に、複数のウェイトポート２１３０は、ボトム部２１１０を横断して設けられる、概して２１５０、２１５５として示される、２つの別々の弧を形成してもよい。
【００５９】
第１の弧２１５０は、トウ部２１１２とヒール部２１１４との間に設けられてもよい。第１の弧２１５０は、ゴルフクラブヘッド２１００のフロント部２１７０に向かってカーブしてもよい（すなわち、フロント部２１７０に対応して凹状である）。図２１の例によれば、第１の弧２１５０は、トウ部２１１２の近傍の領域からフロント部２１７０の近傍の領域、及び、フロント部２１７０の近傍の領域からヒール部２１１４の近傍の領域に設けられてもよい（すなわち、フロント部２１７０に対して凹状である）。したがって、第１の弧２１５０は、トウ部２１１２とヒール部２１１４との間に延びる、ゴルフクラブヘッド２１００のリア部２１８０に向くＣ字状の弧のように見えてもよい。第２の弧２１５５もまた、トウ部２１１２とヒール部２１１４との間に設けられてもよい。第２の弧２１５５は、ゴルフクラブヘッド２１００のリア部２１８０に向かってカーブしてもよい（すなわち、リア部２１８０に対応して凹状である）。したがって、第２の弧２１５５は、トウ部２１１２とヒール部２１１４との間に延びる、ゴルフクラブヘッド２１００のフロント部２１７０に向くＣ字状の弧のように見えてもよい。更に、第１の弧２１５０は、第２の弧２１５５よりフロント部２１７０に近くてもよい。第１の弧２１５０と第２の弧２１５５は、第１の弧２１５０と第２の弧２１５５のそれぞれがボトム部２１１０の周縁に沿って離れて設けられるように、別々であってもよい。したがって、ボトム部２１１０は、第１の弧２１５０のウェイトポート２１３０と第２の弧２１５５のウェイトポート２１３０との間でボトム部２１１０の周縁に沿ったギャップ２１９０、２１９２を含んでもよい。ギャップ２１９０及び／又は２１９２は、ギャップ２１９０及び／又は２１９２に隣接するウェイトポート２１３０のようなウェイトポート２１３０のいずれかのポート径以上であってもよい。図２１に示す一例によれば、ギャップ２１９０、２１９２は、ギャップ２１９０、２１９２に隣接するウェイトポート２１３０の直径より桁違いに大きくてもよい。本明細書に記載の器具、方法、及び製造物は、これに限定されない。
【００６０】
図２１を参照すると、例えば、第１の弧２１５０は、特定のゴルフクラブヘッド（例えば、フェアウェイウッド型ゴルフクラブヘッド及び／又はハイブリッド型ゴルフクラブヘッド）に適するように、第２の弧２１５５より多くのウェイトポート２１３０を含んでもよい。あるいは、第２の弧２１５５は、第１の弧２１５０と同じ又はより多くのウェイトポート２１３０を含んでもよい。第１の弧２１５０及び第２の弧２１５５内の各々のウェイトポート２１３０の数、各ウェイトポート２１３０と関連付けられたウェイト部２１２０、隣接するウェイトポート２１３０間の間隔は、ゴルフクラブのタイプ、ゴルフクラブヘッド２１００の好ましい重量分布、及び／又はゴルフクラブヘッド２１００の重心位置に基づいて決定されてもよい。
【００６１】
第１の弧２１５０及び／又は第２の弧２１５５のウェイトポート２１３０は、第１の弧２１５０及び／又は第２の弧２１５５のそれぞれに沿って同じ又は略同じ距離で互いに離されてもよい。第１の弧２１５０や第２の弧２１５５のウェイトポート２１３０間、又は、本明細書に記載された任意のウェイトポート間の間隔の変化は、製造精度に関連する製造公差及び／又は費用対効果などの、異なる製造上の検討事項に起因してもよい。例えば、第１の弧２１５０及び／又は第２の弧２１５５のウェイトポート２１３０間の間隔の変化は、１／１６インチ〜０．００１インチの間であってもよい。本明細書で説明するように、隣接するウェイトポート２１３０間の距離（すなわち、ポート距離）は、隣接する２つのウェイトポートのいずれかのポート径以下であってもよい。複数のウェイトポート２１３０は、ゴルフクラブヘッド２１００の最大トウ−ヒール間クラブヘッド距離２１９５の５０％以上である最大トウ−ヒール間ウェイトポート距離で、トウ部２１１２とヒール部２１１４との間に設けられてもよい。最大トウ−ヒール間ウェイトポート距離は、トウ部２１１２から最も遠いウェイトポートのヒール側の境界とヒール部２１１４から最も遠いウェイトポートのトウ側の境界との間の最大距離であってもよい。
【００６２】
具体的には、ゴルフクラブヘッド２１００は、４３０ｃｃ未満の体積を有してもよい。例えば、ゴルフクラブヘッド２１００は、１００ｃｃ〜４００ｃｃの範囲の体積を有してもよい。別の例では、ゴルフクラブヘッド２１００は、１５０ｃｃ〜３５０ｃｃの範囲の体積を有してもよい。更に別の例では、ゴルフクラブヘッド２１００は、２００ｃｃ〜３００ｃｃの範囲の体積を有してもよい。ゴルフクラブヘッド２１００は、１００グラム〜３５０グラムの範囲の質量を有してもよい。別の例では、ゴルフクラブヘッド２１００は、１５０グラム〜３００グラムの範囲の質量を有してもよい。更に別の例では、ゴルフクラブヘッド２１００は、２００グラム〜２５０グラムの範囲の質量を有してもよい。ゴルフクラブヘッド２１００は、１０°〜３０°の範囲のロフト角を有してもよい。別の例では、ゴルフクラブヘッド２１００は、１３°〜２７°の範囲のロフト角を有してもよい。例えば、ゴルフクラブヘッド２１００は、フェアウェイウッド型ゴルフクラブヘッドであってもよい。あるいは、ゴルフクラブヘッド２１００は、小さめのドライバー型ゴルフクラブヘッドであってもよい（すなわち、フェアウェイウッド型ゴルフクラブヘッドより大きいがドライバー型ゴルフクラブヘッドより小さい）。本明細書に記載の器具、方法、及び製造物は、これに限定されない。
【００６３】
図２２に示すように、例えば、ゴルフクラブヘッド２２００は、ボトム部２２１０と、複数のウェイトポート２２３０に配置された複数のウェイト部２２２０とを含んでもよい。ウェイトポート領域２２４０の周縁に沿って配置された複数のウェイトポート２２３０は、ボトム部２２１０を横断して延びる、概して２２５０として示される、弧を画定する経路に沿って配置されてもよい（すなわち、複数のウェイトポート２２３０は、ボトム部２２１０を横断してトウ部２２１２とヒール部２２１４のそれぞれの間に設けられてもよい）。弧２２５０は、ゴルフクラブヘッド２２００のリア部２２８０に向かってカーブしてもよい（すなわち、リア部２２８０に対応して凹状である）。図２２の例によれば、弧２２５０は、トウ部２２１２の近傍の領域からリア部２２８０の近傍の領域、及び、リア部２２８０の近傍の領域からヒール部２２１４の近傍の領域に設けられてもよい（すなわち、リア部２２８０に対応して凹状である）。したがって、弧２２５０は、ヒール部２２１４の近くからトウ部２２１２の近くに延びる、ゴルフクラブヘッド２２００のフロント部２２７０に向くＣ字状の弧のように見えてもよい。更に、弧２２５０の曲率は、ゴルフクラブヘッド２２００のリア部２２８０の輪郭と実質的に同様であってもよく、又は概ね従ってもよい。弧２２５０内のウェイトポート２２３０の数、各ウェイトポート２２３０と関連付けられたウェイト部２２２０、隣接するウェイトポート２２３０間の間隔は、ゴルフクラブのタイプ、ゴルフクラブヘッド２２１０の好ましい重量分布、及び／又はゴルフクラブヘッド２２００の重心位置に基づいて決定されてもよい。
【００６４】
弧２２５０のウェイトポート２２３０は、弧２２５０に沿って同じ又は略同じ距離で互いに離されてもよい（例えば、ウェイトポート２２３０は、実質的に同様な間隔で互いに離されてもよい）。弧２２５０のウェイトポート２２３０間、又は、本明細書に記載された任意のウェイトポート間の間隔の変化は、製造精度に関連する製造公差及び／又は費用対効果などの、異なる製造上の検討事項に起因してもよい。例えば、弧２２５０のウェイトポート２２３０間の間隔の変化は、１／１６インチ〜０．００１インチの間であってもよい。本明細書で説明するように、隣接するウェイトポート２２３０間の距離（すなわち、ポート距離）は、隣接する２つのウェイトポートのいずれかのポート径以下であってもよい。複数のウェイトポート２２３０は、ゴルフクラブヘッド２２００の最大トウ−ヒール間クラブヘッド距離２２９０の５０％以上である最大トウ−ヒール間ウェイトポート距離で、トウ部２２１２とヒール部２２１４との間に設けられてもよい。最大トウ−ヒール間ウェイトポート距離は、トウ部２２１２から最も遠いウェイトポートのヒール側の境界とヒール部２２１４から最も遠いウェイトポートのトウ側の境界との間の最大距離であってもよい。
【００６５】
具体的には、ゴルフクラブヘッド２２００は、２００ｃｃ未満の体積を有してもよい。例えば、ゴルフクラブヘッド２２００は、５０ｃｃ〜１５０ｃｃの範囲の体積を有してよい。別の例では、ゴルフクラブヘッド２２００は、６０ｃｃ〜１２０ｃｃの範囲の体積を有してもよい。更に別の例では、ゴルフクラブヘッド２２００は、７０ｃｃ〜１００ｃｃの範囲の体積を有してもよい。ゴルフクラブヘッド２２００は、１８０グラム〜２７５グラムの範囲の質量を有してもよい。別の例では、ゴルフクラブヘッド２２００は、２００グラム〜２５０グラムの範囲の質量を有してもよい。ゴルフクラブヘッド２２００は、１５°〜３５°の範囲のロフト角を有してもよい。別の例では、ゴルフクラブヘッド２２００は、１７°〜３３°の範囲のロフト角を有してもよい。例えば、ゴルフクラブヘッド２２００は、ハイブリッド型ゴルフクラブヘッドであってもよい。本明細書に記載の器具、方法、及び製造物は、これに限定されない。
【００６６】
図２３〜図２６の例では、ゴルフクラブヘッド２３００は、トップ部２３３０と、ボトム部２３４０と、トウ部２３５０と、ヒール部２３６０と、ゴルフボール（不図示）に対するフェース部２３７５を持つフロント部２３７０と、リア部２３８０とを有するボディ部２３１０を含んでもよい。ボディ部２３１０は、フロント部２３７０を除くトップ部２３３０とボトム部２３４０との間に、トウ部２３５０からリア部２３８０を回ってヒール部２３６０に至るゴルフクラブヘッド２３００の周囲を横断して設けられる、ゴルフクラブヘッド２３００のサイド部として規定されたスカート部２３９０を含んでもよい。ボディ部２３１０は、シャフト（不図示）を受けるホーゼル部２３６５を含んでもよい。あるいは、ボディ部２３１０は、ホーゼル部２３６５に代えてボアを含んでもよい。例えば、ボディ部２３１０は、部分的に又は完全に、アルミニウム系材料、マグネシウム系材料、スチール系材料、チタン系材料、それらの任意の組み合わせ、又は他の適切なタイプの材料で作製されてもよい。別の例では、ボディ部２３１０は、部分的に又は完全に、セラミック材料、複合材料、それらの任意の組み合わせ、又は他の適切なタイプの材料のような非金属材料で作製されてもよい。
【００６７】
ゴルフクラブヘッド２３００は、３００立方センチメートル（ｃｍ3又はｃｃ）以上のクラブヘッド体積を有してもよい。一例では、ゴルフクラブヘッド２３００は、約４６０ｃｃであってもよい。あるいは、ゴルフクラブヘッド２３００は、３００ｃｃ以下のクラブヘッド体積を有してもよい。具体的には、ゴルフクラブヘッド２３００は、１００ｃｃ〜２００ｃｃの間のクラブヘッド体積を有してもよい。ゴルフクラブヘッド２３００のクラブヘッド体積は、加重水置換法（すなわち、アルキメデスの原理）を用いて測ることができる。例えば、ゴルフ標準団体、及び／又は、全米ゴルフ協会（ＵＳＧＡ）及び／又は全英ゴルフ協会（Ｒ＆Ａ）等のような運営組織によって規定された手順を、ゴルフクラブヘッド２３００のクラブヘッド体積を測定するために使用することができる。図２３〜図２６は特定のタイプのクラブヘッド（例えば、ドライバー型クラブヘッド）を示すが、本明細書に記載の器具、方法、及び製造物は、他のタイプのゴルフクラブヘッド（例えば、フェアウェイウッド型クラブヘッド、ハイブリッド型クラブヘッド、アイアン型クラブヘッド、パター型クラブヘッド、等）に適用されてもよい。本明細書に記載の器具、方法、及び製造物は、これに限定されない。
【００６８】
ボディ部２３１０は、１以上の内部キャビティ部を持つ中空体であってもよい。一例では、ボディ部２３１０は、第１の内部キャビティ部２５３９及び第２の内部キャビティ部２５４０を含んでもよい。第１の内部キャビティ部２５３９は、ボディ部２３１０の全体の体積を画定してもよい。第２の内部キャビティ部２５４０は、第１の内部キャビティ部２５３９内にあってもよく、ボディ部２３１０の全体の体積の一部を画定してもよい。第１の内部キャビティ部２５３９及び第２の内部キャビティ部２５４０は、接続されてもよい。例えば、第２の内部キャビティ部２５４０は、第１の内部キャビティ部２５３９への開口部（不図示）を有してもよい。一例では、図２３〜図２６に示すように、第１の内部キャビティ部２５３９及び第２の内部キャビティ部２５４０は、別個のものであってもよく、又はそれらの内部空間の間の接続がなくてもよい。本明細書に記載の器具、方法、及び製造物は、これに限定されない。
【００６９】
ボトム部２３４０は、概してウェイト部２６２１、２６２２、２６２３、２６２４、２６２５、２６２６、２６２７、２６２８、２６２９（図２４）として示される、複数のウェイト部２４２０を含んでもよい。ボディ部２３１０は、概してウェイトポート２６４１、２６４２、２６４３、２６４４、２６４５、２６４６、２６４７、２６４８、２６４９（図２４）として示される、複数のウェイトポート２４４０を含んでもよい。例えば、図２４に示すように、ウェイトポート２４４０の各々は、ボトム部２３４０から第１の内部キャビティ部２５３９内に延びてもよい。ボトム部２３４０上のウェイトポート２４４０の位置に応じて、幾つか又は全てのウェイトポート２４４０は、ボトム部２３４０から第２の内部キャビティ部２５４０（不図示）内に延びてもよい。ウェイトポート２４４０の各々は、ウェイト部２４２０の１つを受けてもよい。ウェイト部２４２０、ウェイトポート２４４０、各ウェイト部２４２０の質量、ボディ部２３１０上のウェイト部２４２０の質量分布、ウェイトポート２４４０間の距離、ウェイト部２４２０を構成する材料、ウェイト部２４２０の寸法、ウェイト部２４２０の形状、及び／又は、任意のウェイト部２４２０及び／又はウェイトポート２４４０の任意の他の物理的特性は、本明細書に記載の任意のウェイト部及びウェイトポートと多くの点で類似してもよい。例えば、ウェイトポート２４４０の各ウェイトポートは、隣接するウェイトポートのポート径と同様のポート径を有してもよい。例えば、隣接する２つのウェイトポートの間の距離は、隣接する２つのウェイトポートのいずれかのポート径以下であってもよい。本明細書に記載の器具、方法、及び製造物は、これに限定されない。
【００７０】
ウェイトポート２４４０は、任意の構成でボディ部２３１０に配置されてもよい。一例では、ウェイトポート２４４０は、フロント部２３７０とリア部２３８０の間の位置で、トウ部２３５０とヒール部２３６０の間に概ね延設されてもよい。一例では、ウェイトポート２４４０は、トウ部２３５０からヒール部２３６０まで線に沿って延設されてもよい。図２３〜図２６の例では、ウェイトポート２６４３、２６４４、２６４５、２６４６、２６４７は、第１のセットのウェイトポートを画定し、ボトム部２３４０の中央部２３４１又はその近傍でトウ部２３５０からヒール部２３６０の方向に延設されてもよい。ウェイトポート２６４１、２６４２は、ウェイトポート２６４３よりリア部２３８０に近く、第２セットのウェイトポートを画定してもよい。したがって、ウェイトポート２６４１、２６４２は、中央部２３４１又はその近傍からトウ部２３５０とリア部２３８０に向かって延設されてもよい。ウェイトポート２６４８、２６４９は、ウェイトポート２６４７よりリア部２３８０に近く、第３セットのウェイトポートを画定してもよい。したがって、ウェイトポート２６４８、２６４９は、中央部２３４１又はその近傍からヒール部２３６０とリア部２３８０に向かって延設されてもよい。一例では、複数のウェイトポート２４４０の構成は、本明細書に記載のゴルフクラブヘッドのいずれか１つ又は組み合わせと同様であってもよい。一例では、複数のウェイトポート２４４０は、フロント部２３７０に対して凹状の曲線に沿って延設されてもよい。一例では、複数のウェイトポート２４４０は、リア部２３８０に対して凹状の曲線に沿って延設されてもよい。一例では、複数のウェイトポート２４４０の幾つか又は全ては、リア部２３８０よりフロント部２３７０に近くてもよい。一例では、複数のウェイトポート２４４０の幾つか又は全ては、フロント部２３７０よりリア部２３８０に近くてもよい。本明細書に記載の器具、方法、及び製造物は、これに限定されない。
【００７１】
一例では、複数のウェイト部２４２０の各ウェイト部は、同じ質量を有してもよい。一例では、複数のウェイト部２４２０の各ウェイト部は、異なる質量を有してもよい。一例では、複数のウェイト部２４２０は、第１の質量と関連付けられた第１セットのウェイト部（不図示）と、第２の質量と関連付けられた第２セットのウェイト部（不図示）を含んでもよい。一例では、複数のウェイト部２４２０は、複数の質量のセットと関連付けられてもよい。したがって、ボディ部２３１０の重量分布は、トウ側に偏った重量分布、ヒール側に偏った重量分布、フロント側に偏った重量分布、リア側に偏った重量分布、又はそれらの様々な組み合わせなど、任意のタイプの重量分布に構成することができる。このため、ゴルフクラブヘッド２３００は、任意のタイプのゴルフスイングを持つ各個人に適応させることができる。一例では、ボディ部２３１０の重量分布は、本明細書に記載した例と同様の構成であってもよい。本明細書に記載の器具、方法、及び製造物は、これに限定されない。
【００７２】
一例では、複数のウェイトポート２４４０は、第１の経路２４６４に沿ってボトム部２３４０を横断して、トウ部２３５０とヒール部２３６０のそれぞれの間の最大トウ−ヒール間距離２４６０の５０％以上に延設されてもよい。ゴルフクラブヘッド２３００の最大トウ−ヒール間距離２４６０は、本明細書に記載の任意のゴルフクラブヘッドの最大トウ−ヒール間距離と多くの点で類似してもよい。一例では、複数のウェイトポート２４４０は、ゴルフクラブヘッド２３００の最大トウ−ヒール間距離２４６０の５０％以上である最大トウ−ヒール間ウェイトポート距離２４６２で、トウ部２３５０とヒール部２３６０の間に延設されてもよい。最大トウ−ヒール間ポート距離２４６２は、トウ部２３５０から最も遠いウェイトポートのヒール側の境界とヒール部２３６０から最も遠いウェイトポートのトウ側の境界との間の最大距離であってもよい。一例では、複数のウェイトポート２４４０は、ゴルフクラブヘッド２３００の最大トウ−ヒール間距離２４６０の６０％以上である最大トウ−ヒール間ウェイトポート距離２４６２で、トウ部２３５０とヒール部２３６０の間に延設されてもよい。一例では、複数のウェイトポート２４４０は、ゴルフクラブヘッド２３００の最大トウ−ヒール間距離２４６０の７０％以上である最大トウ−ヒール間ウェイトポート距離２４６２で、トウ部２３５０とヒール部２３６０の間に延設されてもよい。一例では、複数のウェイトポート２４４０は、ゴルフクラブヘッド２３００の最大トウ−ヒール間距離２４６０の８０％以上である最大トウ−ヒール間ウェイトポート距離２４６２で、トウ部２３５０とヒール部２３６０の間に延設されてもよい。一例では、複数のウェイトポート２４４０は、ゴルフクラブヘッド２３００の最大トウ−ヒール間距離２４６０の９０％以上である最大トウ−ヒール間ウェイトポート距離２４６２で、トウ部２３５０とヒール部２３６０の間に延設されてもよい。一例では、複数のウェイトポート２４４０は、ゴルフクラブヘッド２３００の最大トウ−ヒール間距離２４６０と同じ又は実質的に同じである最大トウ−ヒール間ウェイトポート距離２４６２で、トウ部２３５０とヒール部２３６０の間に延設されてもよい。本明細書に記載の器具、方法、及び製造物は、これに限定されない。
【００７３】
一例では、ボディ部２３１０は、ボトム部２３４０上の外側支持部を含んでもよい。例えば、図２４〜図２６に示すように、外側支持部は、フロント部２３７０と複数のウェイトポート２４４０の間に配置され、第２の経路２５２０に沿ってボトム部２３４０に延設された、ボトム部２３４０上の溝部２５１０であってもよい。溝部２５１０は、フェース部２３７５がゴルフボール（不図示）を打つときに、ボトム部２３４０を構造的に支持することができる。したがって、溝部２５１０は、ゴルフクラブヘッド２３００の構造的支持部として機能することができる。図２３〜図２６に示す一例では、第２の経路２５２０は、複数のウェイトポート２４４０の第１の経路２４６４と同様又は実質的に同様であってもよい。したがって、溝部２５１０は、中央部２３４１又はその近傍でトウ部２３５０からヒール部２３６０の方向に延設された第１の溝部と、第１の溝部からトウ部２３５０とリア部２３８０に向かって延設された第２の溝部と、第１の溝部からヒール部２３６０とリア部２３８０に向かって延設された第３の溝部とを含んでもよい。一例では、第１の経路２４６４と第２の経路２５２０は、実質的に平行であってもよい。一例では、溝部２５１０は、複数のウェイトポート２４４０が延びる経路（例えば、第１の経路２４６４）とは異なる経路で、トウ部２３５０とヒール部２３６０の間に延設されてもよい。ボディ部２３１０は、ゴルフクラブヘッド２３００に構造的支持を提供し得る、ボトム部上の追加の溝部を含んでもよい。更に、溝部２５１０は、任意の物理的特性（すなわち、深さ、幅、長さ、向き、位置など）を有してもよい。本明細書に記載の器具、方法、及び製造物は、これに限定されない。
【００７４】
一例では、溝部２５１０は、ゴルフクラブヘッド２３００の最大トウ−ヒール間距離２４６０の５０％以上で、トウ部２３５０とヒール部２３６０の間に延設されてもよい。一例では、溝部２５１０は、ゴルフクラブヘッド２３００の最大トウ−ヒール間距離２４６０の６０％以上で、トウ部２３５０とヒール部２３６０の間に延設されてもよい。一例では、溝部２５１０は、ゴルフクラブヘッド２３００の最大トウ−ヒール間距離２４６０の７０％以上で、トウ部２３５０とヒール部２３６０の間に延設されてもよい。一例では、溝部２５１０は、ゴルフクラブヘッド２３００の最大トウ−ヒール間距離２４６０の８０％以上で、トウ部２３５０とヒール部２３６０の間に延設されてもよい。一例では、溝部２５１０は、ゴルフクラブヘッド２３００の最大トウ−ヒール間距離２４６０の９０％以上で、トウ部２３５０とヒール部２３６０の間に延設されてもよい。一例では、溝部２５１０は、ゴルフクラブヘッド２３００の最大トウ−ヒール間距離２４６０と同じ又は実質的に同じで、トウ部２３５０とヒール部２３６０の間に延設されてもよい。図２３〜図２６に示す一例では、溝部２５１０は、単一の連続する溝部２５１０であってもよい。一例では、溝部２５１０は、複数の溝部（不図示）を含んでもよく、その少なくとも幾つかは不連続であってもよい。本明細書に記載の器具、方法、及び製造物は、これに限定されない。
【００７５】
第２の内部キャビティ部２５４０は、ボディ部２３１０内の任意の位置に配置されてもよい。一例では、図２３〜図２６に示すように、第２の内部キャビティ部２５４０は、複数のウェイトポート２４４０とリア部２３８０の間のボディ部２３１０内に配置されてもよい。第２の内部キャビティ部２５４０は、複数のウェイトポート２４４０とリア部２３８０の間のボディ部２３１０の任意の位置であってもよい。図２３〜図２６に示す一例では、第２の内部キャビティ部２５４０は、リア部２３８０又はその近傍、及びボトム部２３４０又はその近傍で、ボディ部２３１０内にあってもよい。第２の内部キャビティ部２５４０は、ボトムカバー（不図示）で覆われるボトム部２３４０の凹部（不図示）によって画定されてもよい。一例では、第２の内部キャビティ部２５４０は、ボディ部２３１０の内側にあり、ボディ部２３１０の体積の一部を画定してもよい。一例では、内部キャビティ２５４０は、任意の形状、構造、長さ、及び／又は幅を有してもよい。第２の内部キャビティ部２５４０は、ボディ部２３１０の体積の約５％〜約８５％の間の体積を有してもよい。第２の内部キャビティ部２５４０は、ボディ部２３１０の体積の約５％〜約６５％の間の体積を有してもよい。第２の内部キャビティ部２５４０は、ボディ部２３１０の体積の約５％〜約４５％の間の体積を有してもよい。第２の内部キャビティ部２５４０は、ボディ部２３１０の体積の約５％〜約３５％の間の体積を有してもよい。第２の内部キャビティ部２５４０は、ボディ部２３１０の体積の約５％〜約２５％の間の体積を有してもよい。第２の内部キャビティ部２５４０は、ボディ部２３１０の体積の約５％〜約１０％の間の体積を有してもよい。本明細書に記載の器具、方法、及び製造物は、これに限定されない。
【００７６】
一例では、第２の内部キャビティ部２５４０は、無充填（すなわち、空の空間）であってもよい。あるいは、第２の内部キャビティ部２５４０は、振動を吸収し、振動を分離し、ノイズを減衰し、及び／又はゴルフクラブヘッド２３００の重心が低く且つより後方に移動するように、弾性ポリマー又はエラストマー材料、及び／又は他の適切なタイプの材料である充填材料で、部分的に又は完全に充填されてもよい。第２の内部キャビティ部２５４０は、第２の内部キャビティ部２５４０が充填材料で充填された後に閉じられる、ボディ部２３１０の任意の開口部から充填されてもよい。例えば、任意の１以上のウェイトポート２４４０は、第２の内部キャビティ部２５４０に接続されてもよい。したがって、第２の内部キャビティ部２５４０は、１以上の接続されたウェイトポート２４４０から充填材料で充填されてもよい。本明細書に記載の器具、方法、及び製造物は、これに限定されない。
【００７７】
充填材料は、衝撃を吸収し、振動を分離し、及び／又はノイズを減衰するように、弾性ポリマー又はエラストマー材料（例えば、オハイオ州、ケント、Ｓｏｒｂｏｔｈａｎｅ社製のＳｏｒｂｏｔｈａｎｅ（登録商標）のような粘弾性ウレタンポリマー材料）、熱可塑性エラストマー材料（ＴＰＥ）、熱可塑性ポリウレタン材料（ＴＰＵ）、及び／又は他の適切なタイプの材料であってもよい。別の例では、充填材料は、高密度エチレン共重合体アイオノマー、脂肪酸変成エチレン共重合体アイオノマー、高非晶質エチレン共重合体アイオノマー、エチレン酸アクリレート三元共重合体のアイオノマー、マグネシウムアイオノマーを含むエチレン共重合体、様々な形状を作り出す従来の射出成形装置で使用される射出成型可能なエチレン共重合体、様々な形状を作り出す従来の押出し装置で使用できるエチレン共重合体、及び／又は熱硬化性ポリブタジエンゴムに類似した高圧縮性及び低反発性のエチレン共重合体であってもよい。例えば、エチレン共重合体は、デラウェア州、ウィルミントンのＥ．Ｉ．ｄｕ  Ｐｏｎｔ  ｄｅ  Ｎｅｍｏｕｒｓ  ａｎｄ  Ｃｏｍｐａｎｙ社製の、ＤｕＰｏｎｔTM  高性能樹脂（ＨＰＦ）ファミリーの材料（例えば、ＤｕＰｏｎｔTM  ＨＰＦ  ＡＤ１１７２、ＤｕＰｏｎｔTM  ＨＰＦ  ＡＤ１０３５、ＤｕＰｏｎｔ（登録商標）  ＨＰＦ  １０００、及びＤｕＰｏｎｔTM  ＨＰＦ  ２０００）に関連するエチレン共重合体のいずれかを含んでもよい。エチレン共重合体のＤｕＰｏｎｔTM  ＨＰＦファミリーは、射出成型可能であり、低圧縮性及び高反発力を提供する従来の射出成形装置及び型を使用することができる。本明細書に記載の器具、方法、及び製造物は、これに限定されない。
【００７８】
本明細書に記載の充填材料は、本明細書に記載の任意のゴルフクラブヘッドのボディ部と充填材料との間の接着力の改善及び／又は層間剥離の軽減のために、結合部（不図示）によって第２の内部キャビティ部２５４０の内側壁部の全て又は一部に結合、連結及び又は接続されてもよい。結合部は、結合剤、エポキシ樹脂、結合剤の組み合わせ、結合構造又は連結具、結合構造及び／又は連結具の組み合わせ、及び／又は、１以上の結合剤と１以上の結合構造及び／又は１以上の連結具との組み合わせであってもよい。一例では、結合部は、ミシガン州、オーバーンヒルズ、Ｄｏｗ  Ｃｈｅｍｉｃａｌ  Ｃｏｍｐａｎｙ社製の材料であるＭＥＧＵＭTM、ＲＯＢＯＮＤTM、及び／又はＴＨＩＸＯＮTMのような、低粘度有機溶剤型の溶液及び／又はポリマーと他の反応性化学物質の分散液であってもよい。別の例では、結合部は、コネチカット州、ロッキーヒル、Ｈｅｎｋｅｌ  Ｃｏｒｐｏｒａｔｉｏｎ社製のＬＯＣＴＩＴＥ（登録商標）であってもよい。器具、方法、及び製造物は、これに限定されない。
【００７９】
図２７〜図３０の例では、ゴルフクラブヘッド２７００は、トップ部２７３０と、ボトム部２７４０と、トウ部２７５０と、ヒール部２７６０と、フロント部２７７０と、リア部２７８０とを有するボディ部２７１０を含んでもよい。ボディ部２７１０は、フロント部２７７０を除くトップ部２７３０とボトム部２７４０との間に、トウ部２７５０からリア部２７８０を回ってヒール部２７６０に至るゴルフクラブヘッド２７００の周囲を横断して設けられる、ゴルフクラブヘッド２７００のサイド部として規定されたスカート部２７９０を含んでもよい。フロント部２７７０は、ゴルフボール（不図示）に対するフェース部２７７５を含んでもよい。ボディ部２７１０は、シャフト（不図示）を受けるホーゼル部２７６５を含んでもよい。あるいは、ボディ部２７１０は、ホーゼル部２７６５に代えてボアを含んでもよい。例えば、ボディ部２７１０は、部分的に又は完全に、アルミニウム系材料、マグネシウム系材料、スチール系材料、チタン系材料、それらの任意の組み合わせ、又は他の適切なタイプの材料で作製されてもよい。別の例では、ボディ部２７１０は、部分的に又は完全に、セラミック材料、複合材料、それらの任意の組み合わせ、又は他の適切なタイプの材料のような非金属材料で作製されてもよい。
【００８０】
ゴルフクラブヘッド２７００は、４３０ｃｃ未満の体積を有してもよい。例えば、ゴルフクラブヘッド２７００は、１００ｃｃ〜４００ｃｃの範囲の体積を有してもよい。別の例では、ゴルフクラブヘッド２７００は、１５０ｃｃ〜３５０ｃｃの範囲の体積を有してもよい。更に別の例では、ゴルフクラブヘッド２７００は、２００ｃｃ〜３００ｃｃの範囲の体積を有してもよい。ゴルフクラブヘッド２７００は、１００グラム〜３５０グラムの範囲の質量を有してもよい。別の例では、ゴルフクラブヘッド２７００は、１５０グラム〜３００グラムの範囲の質量を有してもよい。更に別の例では、ゴルフクラブヘッド２７００は、２００グラム〜２５０グラムの範囲の質量を有してもよい。ゴルフクラブヘッド２７００は、１０°〜３０°の範囲のロフト角を有してもよい。別の例では、ゴルフクラブヘッド２７００は、１３°〜２７°の範囲のロフト角を有してもよい。例えば、ゴルフクラブヘッド２７００は、フェアウェイウッド型ゴルフクラブヘッドであってもよい。あるいは、ゴルフクラブヘッド２７００は、小さめのドライバー型ゴルフクラブヘッドであってもよい（すなわち、フェアウェイウッド型ゴルフクラブヘッドより大きいがドライバー型ゴルフクラブヘッドより小さい）。本明細書に記載の器具、方法、及び製造物は、これに限定されない。
【００８１】
ボディ部２７１０は、１以上の内部キャビティ部を持つ中空体であってもよい。一例では、ボディ部２７１０は、第１の内部キャビティ部２９３９及び第２の内部キャビティ部２９４０を含んでもよい。第１の内部キャビティ部２９３９は、ボディ部２７１０の全体の体積を画定してもよい。第２の内部キャビティ部２９４０は、第１の内部キャビティ部２９３９内にあってもよく、ボディ部２７１０の全体の体積の一部を画定してもよい。第１の内部キャビティ部２９３９及び第２の内部キャビティ部２９４０は、接続されてもよい。例えば、第２の内部キャビティ部２９４０は、第１の内部キャビティ部２９３９への開口部（不図示）を有してもよい。一例では、図２７〜図３０に示すように、第１の内部キャビティ部２９３９及び第２の内部キャビティ部２９４０は、別個のものであってもよく、又はそれらの内部空間の間の接続がなくてもよい。本明細書に記載の器具、方法、及び製造物は、これに限定されない。
【００８２】
ボトム部２７４０は、概してウェイト部３０２１、３０２２、３０２３、３０２４、３０２５、３０２６、３０２７（図２８）として示される、複数のウェイト部２８２０を含んでもよい。ボディ部２７１０は、概してウェイトポート３０４１、３０４２、３０４３、３０４４、３０４５、３０４６、３０４７（図２８）として示される、複数のウェイトポート２８４０を含んでもよい。例えば、図２８に示すように、ウェイトポート２８４０の各々は、ボトム部２７４０から第１の内部キャビティ部２９３９内に延びてもよい。ボトム部２７４０上のウェイトポート２８４０の位置に応じて、幾つか又は全てのウェイトポート２８４０は、ボトム部２７４０から第２の内部キャビティ部２９４０（不図示）内に延びてもよい。ウェイトポート２８４０の各々は、ウェイト部２８２０の１つを受けてもよい。ウェイト部２８２０、ウェイトポート２８４０、各ウェイト部２８２０の質量、ボディ部２７１０上のウェイト部２８２０の質量分布、ウェイトポート２８４０間の距離、ウェイト部２８２０を構成する材料、ウェイト部２８２０の寸法、ウェイト部２８２０の形状、及び／又は、任意のウェイト部２８２０及び／又はウェイトポート２８４０の任意の他の物理的特性は、本明細書に記載の任意のウェイト部及びウェイトポートと多くの点で類似してもよい。例えば、ウェイトポート２４４０の各ウェイトポートは、隣接するウェイトポートのポート径と同様のポート径を有してもよい。例えば、隣接する２つのウェイトポートの間の距離は、隣接する２つのウェイトポートのいずれかのポート径以下であってもよい。本明細書に記載の器具、方法、及び製造物は、これに限定されない。
【００８３】
ウェイトポート２８４０は、任意の構成でボディ部２７１０に配置されてもよい。一例では、ウェイトポート２８４０は、フロント部２７７０とリア部２７８０の間の位置で、トウ部２７５０とヒール部２７６０の間に概ね延設されてもよい。一例では、ウェイトポート２８４０は、トウ部２７５０からヒール部２７６０まで線に沿って延設されてもよい。図２７〜図３０の例では、ウェイトポート３０４３、３０４４、３０４５は、第１のセットのウェイトポートを画定し、ボトム部２7４０の中央部２７４１又はその近傍でトウ部２７５０からヒール部２７６０の方向に延設されてもよい。ウェイトポート３０４１、３０４２は、ウェイトポート３０４３よりリア部２７８０に近く、第２セットのウェイトポートを画定してもよい。したがって、ウェイトポート３０４１、３０４２は、中央部２７４１又はその近傍からトウ部２７５０とリア部２７８０に向かって延設されてもよい。ウェイトポート３０４６、３０４７は、ウェイトポート３０４５よりリア部２７８０に近く、第３セットのウェイトポートを画定してもよい。したがって、ウェイトポート３０４６、３０４７は、中央部２７４１又はその近傍からヒール部２７６０とリア部２７８０に向かって延設されてもよい。一例では、複数のウェイトポート２８４０の構成は、本明細書に記載のゴルフクラブヘッドのいずれか１つ又は組み合わせと同様であってもよい。一例では、複数のウェイトポート２８４０は、フロント部２７７０に対して凹状の曲線に沿って延設されてもよい。一例では、複数のウェイトポート２８４０は、リア部２７８０に対して凹状の曲線に沿って延設されてもよい。一例では、複数のウェイトポート２８４０の幾つか又は全ては、リア部２７８０よりフロント部２７７０に近くてもよい。一例では、複数のウェイトポート２８４０の幾つか又は全ては、フロント部２７７０よりリア部２７８０に近くてもよい。本明細書に記載の器具、方法、及び製造物は、これに限定されない。
【００８４】
一例では、複数のウェイト部２８２０の各ウェイト部は、同じ質量を有してもよい。一例では、複数のウェイト部２８２０の各ウェイト部は、異なる質量を有してもよい。一例では、複数のウェイト部２８２０は、第１の質量と関連付けられた第１セットのウェイト部（不図示）と、第２の質量と関連付けられた第２セットのウェイト部（不図示）を含んでもよい。一例では、複数のウェイト部２８２０は、複数の質量のセットと関連付けられてもよい。したがって、ボディ部２７１０の重量分布は、トウ側に偏った重量分布、ヒール側に偏った重量分布、フロント側に偏った重量分布、リア側に偏った重量分布、又はそれらの様々な組み合わせなど、任意のタイプの重量分布に構成することができる。このため、ゴルフクラブヘッド２７００は、任意のタイプのゴルフスイングを持つ各個人に適応させることができる。一例では、ボディ部２７１０の重量分布は、本明細書に記載した例と同様の構成であってもよい。本明細書に記載の器具、方法、及び製造物は、これに限定されない。
【００８５】
一例では、複数のウェイトポート２８４０は、第１の経路２８６４に沿ってボトム部２７４０を横断して、トウ部２７５０とヒール部２７６０のそれぞれの間の最大トウ−ヒール間距離２８６０の５０％以上に延設されてもよい。ゴルフクラブヘッド２７００の最大トウ−ヒール間距離２８６０は、本明細書に記載の任意のゴルフクラブヘッドの最大トウ−ヒール間距離と多くの点で類似してもよい。一例では、複数のウェイトポート２８４０は、ゴルフクラブヘッド２７００の最大トウ−ヒール間距離２８６０の５０％以上である最大トウ−ヒール間ウェイトポート距離２８６２で、トウ部２７５０とヒール部２７６０の間に延設されてもよい。最大トウ−ヒール間ポート距離２８６２は、トウ部２７５０から最も遠いウェイトポートのヒール側の境界とヒール部２７６０から最も遠いウェイトポートのトウ側の境界との間の最大距離であってもよい。一例では、複数のウェイトポート２８４０は、ゴルフクラブヘッド２７００の最大トウ−ヒール間距離２８６０の６０％以上である最大トウ−ヒール間ウェイトポート距離２８６２で、トウ部２７５０とヒール部２７６０の間に延設されてもよい。一例では、複数のウェイトポート２８４０は、ゴルフクラブヘッド２７００の最大トウ−ヒール間距離２８６０の７０％以上である最大トウ−ヒール間ウェイトポート距離２８６２で、トウ部２７５０とヒール部２７６０の間に延設されてもよい。一例では、複数のウェイトポート２８４０は、ゴルフクラブヘッド２７００の最大トウ−ヒール間距離２８６０の８０％以上である最大トウ−ヒール間ウェイトポート距離２８６２で、トウ部２７５０とヒール部２７６０の間に延設されてもよい。一例では、複数のウェイトポート２８４０は、ゴルフクラブヘッド２７００の最大トウ−ヒール間距離２８６０の９０％以上である最大トウ−ヒール間ウェイトポート距離２８６２で、トウ部２７５０とヒール部２７６０の間に延設されてもよい。一例では、複数のウェイトポート２８４０は、ゴルフクラブヘッド２７００の最大トウ−ヒール間距離２８６０と同じ又は実質的に同じである最大トウ−ヒール間ウェイトポート距離２８６２で、トウ部２７５０とヒール部２７６０の間に延設されてもよい。本明細書に記載の器具、方法、及び製造物は、これに限定されない。
【００８６】
一例では、ボディ部２７１０は、ボトム部２７４０上の１以上の外側支持部を含んでもよい。例えば、図２８〜図３０に示すように、外側支持部は、フロント部２７７０と複数のウェイトポート２８４０の間に配置され、第２の経路２９２０に沿ってボトム部２７４０に延設された、ボトム部２７４０上の溝部２９１０であってもよい。溝部２９１０は、フェース部２７７５がゴルフボール（不図示）を打つときに、ボトム部２７４０を構造的に支持することができる。したがって、溝部２９１０は、ゴルフクラブヘッド２７００の構造的支持部として機能することができる。図２７〜図３０に示す一例では、第２の経路２９２０は、複数のウェイトポート２８４０の第１の経路２８６４と同様又は実質的に同様であってもよい。したがって、溝部２９１０は、中央部２７４１又はその近傍でトウ部２７５０からヒール部２７６０の方向に延設されて第１の溝部と、第１の溝部からトウ部２７５０とリア部２７８０に向かって延設された第２の溝部と、第１の溝部からヒール部２７６０とリア部２７８０に向かって延設された第３の溝部とを含んでもよい。一例では、第１の経路２８６４と第２の経路２９２０は、実質的に平行であってもよい。一例では、溝部２９１０は、複数のウェイトポート２８４０が延びる経路（例えば、第１の経路２８６４）とは異なる経路で、トウ部２７５０とヒール部２７６０の間に延設されてもよい。ボディ部２７１０は、ゴルフクラブヘッド２７００に構造的支持を提供し得る、ボトム部上の追加の溝部を含んでもよい。更に、溝部２９１０は、任意の物理的特性（すなわち、深さ、幅、長さ、向き、位置など）を有してもよい。本明細書に記載の器具、方法、及び製造物は、これに限定されない。
【００８７】
一例では、溝部２９１０は、ゴルフクラブヘッド２７００の最大トウ−ヒール間距離２８６０の５０％以上で、トウ部２７５０とヒール部２７６０の間に延設されてもよい。一例では、溝部２９１０は、ゴルフクラブヘッド２７００の最大トウ−ヒール間距離２８６０の６０％以上で、トウ部２７５０とヒール部２７６０の間に延設されてもよい。一例では、溝部２９１０は、ゴルフクラブヘッド２７００の最大トウ−ヒール間距離２８６０の７０％以上で、トウ部２７５０とヒール部２８６０の間に延設されてもよい。一例では、溝部２９１０は、ゴルフクラブヘッド２７００の最大トウ−ヒール間距離２８６０の８０％以上で、トウ部２７５０とヒール部２７６０の間に延設されてもよい。一例では、溝部２９１０は、ゴルフクラブヘッド２７００の最大トウ−ヒール間距離２８６０の９０％以上で、トウ部２７５０とヒール部２７６０の間に延設されてもよい。一例では、溝部２９１０は、ゴルフクラブヘッド２７００の最大トウ−ヒール間距離２８６０と同じ又は実質的に同じで、トウ部２７５０とヒール部２７６０の間に延設されてもよい。図２７〜図３０に示す一例では、溝部２９１０は、単一の連続する溝部２９１０であってもよい。一例では、溝部２９１０は、複数の溝部（不図示）を含んでもよく、その少なくとも幾つかは不連続であってもよい。本明細書に記載の器具、方法、及び製造物は、これに限定されない。
【００８８】
第２の内部キャビティ部２９４０は、ボディ部２７１０内の任意の位置に配置されてもよい。一例では、図２７〜図３０に示すように、第２の内部キャビティ部２９４０は、複数のウェイトポート２８４０とリア部２７８０の間のボディ部２７１０内に配置されてもよい。第２の内部キャビティ部２９４０は、複数のウェイトポート２８４０とリア部２７８０の間のボディ部２７１０の任意の位置であってもよい。図２７〜図３０に示す一例では、第２の内部キャビティ部２９４０は、リア部２７８０又はその近傍、及びボトム部２７４０又はその近傍で、ボディ部２７１０内にあってもよい。第２の内部キャビティ部２９４０は、ボトムカバー（不図示）で覆われるボトム部２７４０の凹部（不図示）によって画定されてもよい。一例では、第２の内部キャビティ部２９４０は、ボディ部２７１０の内側にあり、ボディ部２７１０の体積の一部を画定してもよい。一例では、内部キャビティ２９４０は、任意の形状、構造、長さ、及び／又は幅を有してもよい。第２の内部キャビティ部２９４０は、ボディ部２７１０の体積の約５％〜約８５％の間の体積を有してもよい。第２の内部キャビティ部２９４０は、ボディ部２３１０の体積の約５％〜約６５％の間の体積を有してもよい。第２の内部キャビティ部２９４０は、ボディ部２７１０の体積の約５％〜約４５％の間の体積を有してもよい。第２の内部キャビティ部２９４０は、ボディ部２７１０の体積の約５％〜約３５％の間の体積を有してもよい。第２の内部キャビティ部２９４０は、ボディ部２７１０の体積の約５％〜約２５％の間の体積を有してもよい。第２の内部キャビティ部２９４０は、ボディ部２７１０の体積の約５％〜約１０％の間の体積を有してもよい。本明細書に記載の器具、方法、及び製造物は、これに限定されない。
【００８９】
一例では、第２の内部キャビティ部２９４０は、無充填（すなわち、空の空間）であってもよい。あるいは、第２の内部キャビティ部２９４０は、振動を吸収し、振動を分離し、ノイズを減衰し、及び／又はゴルフクラブヘッド２７００の重心が低く且つより後方に移動するように、弾性ポリマー又はエラストマー材料、及び／又は他の適切なタイプの材料である充填材料で、部分的に又は完全に充填されてもよい。本明細書に記載の任意の結合部と同様の結合部（不図示）を使用して、充填材料を第２の内部キャビティ部２９４０の内側壁部の全て又は一部に結合してもよい。第２の内部キャビティ部２９４０は、第２の内部キャビティ部２９４０が充填材料で充填された後に閉じられる、ボディ部２７１０の任意の開口部から充填されてもよい。例えば、任意の１以上のウェイトポート２８４０は、第２の内部キャビティ部２９４０に接続されてもよい。したがって、第２の内部キャビティ部２９４０は、１以上の接続されたウェイトポート２８４０から充填材料で充填されてもよい。充填材料は、本明細書に記載の任意の弾性ポリマー材料又は充填材料と同様であってもよい。本明細書に記載の器具、方法、及び製造物は、これに限定されない。
【００９０】
「and（及び）」と「or（又は）」の用語は、論理積及び論理和の意味の両方を有し得る。「a」と「an」の用語は、本開示で別段示さない限り、１又は複数のものとして定義される。「coupled（結合）」及びその任意の変形は、２以上の要素を化学的、機械的、及び／又は他の方法で直接又は間接に接続することを指す。「removably connected（取り外し可能に接続された）」という語句は、取り外し可能に接続された２つの要素が、いずれかの要素の有用性を破壊又は損なうことなしに互いに分離できるように定義される。
【００９１】
「substantially（実質的に，略、など）」の用語は、要素の特徴、パラメータ、特性、又は値の説明に使用される場合、要素が提供しようとする特徴、パラメータ、特性、又は値を損なわない偏差又は変動を表し得る。要素の特徴、パラメータ、特性、又は値の偏差又は変動は、例えば、許容誤差、測定誤差、測定精度限界及び他の要因に基づき得る。「proximate（近接する）」の用語は、「adjacent（隣接する）」、「close（近い）」、「immediate（接近した）」、「nearby（近隣の）」等の用語と同義であり、このような用語は、本開示に現れるように交換可能に使用され得る。
【００９２】
本明細書に記載の器具、方法、及び製造物は、種々の実施形態で実現することができ、これらの実施形態の幾つかの上記説明は、必ずしも全ての可能な実施形態の完全な説明を表すものではない。代わりに、図面の説明、及び図面自体は、少なくとも１つの実施形態を開示し、及び代替の実施形態を開示してもよい。
【００９３】
ゴルフのルールが時々変更されるように（例えば、ゴルフ標準団体及び／又はＵＳＧＡ、Ｒ＆Ａ、等のような運営組織によって、新しい規則が採択されてもよく又は古い規則が撤廃又は変更されてもよい）、本明細書に記載の器具、方法、及び製造物に関連するゴルフ用品は、任意の特定の時点のゴルフのルールに適合しても適合しなくてもよい。従って、本明細書に記載の器具、方法、及び製造物に関連するゴルフ用品は、適合又は不適合のゴルフ用品として宣伝され、売りに出され、及び／又は販売されてもよい。本明細書に記載の器具、方法、及び製造物は、これに限定されない。
【００９４】
更に、上記の例はゴルフクラブヘッドについて説明され得るが、本明細書に記載の器具、方法、及び製造物は、釣り竿、ホッケーのスティック、スキーのポール、テニスのラケット、等の他の適切なタイプのスポーツ用品に適用することができる。
【００９５】
器具、方法、及び製造物の特定の例を本明細書で説明したが、本開示の対象領域はこれに限定されない。これに対し、本開示は、添付の特許請求の範囲又は均等論のスコープ内に公正に入る全ての器具、方法、及び製造物をカバーする。
【図１】
2019519325.tif 000003
【図２】
2019519325.tif 000004
【図３】
2019519325.tif 000005
【図４】
2019519325.tif 000006
【図５】
2019519325.tif 000007
【図６】
2019519325.tif 000008
【図７】
2019519325.tif 000009
【図８】
2019519325.tif 000010
【図９】
2019519325.tif 000011
【図１０】
2019519325.tif 000012
【図１１】
2019519325.tif 000013
【図１２】
2019519325.tif 000014
【図１３】
2019519325.tif 000015
【図１４】
2019519325.tif 000016
【図１５】
2019519325.tif 000017
【図１６】
2019519325.tif 000018
【図１７】
2019519325.tif 000019
【図１８】
2019519325.tif 000020
【図１９】
2019519325.tif 000021
【図２０】
2019519325.tif 000022
【図２１】
2019519325.tif 000023
【図２２】
2019519325.tif 000024
【図２３】
2019519325.tif 000025
【図２４】
2019519325.tif 000026
【図２５】
2019519325.tif 000027
【図２６】
2019519325.tif 000028
【図２７】
2019519325.tif 000029
【図２８】
2019519325.tif 000030
【図２９】
2019519325.tif 000031
【図３０】
2019519325.tif 000032
【手続補正書】
【提出日】平成31年1月22日(2019.1.22)
【手続補正１】
【補正対象書類名】特許請求の範囲
【補正対象項目名】全文
【補正方法】変更
【補正の内容】
【特許請求の範囲】
【請求項１】
第１の内部キャビティ部と、トウ部と、ヒール部と、トップ部と、ボトム部と、リア部と、フェース部を持つフロント部と、前記リア部と前記ボトム部の位置又はその近傍の位置にある第２の内部キャビティ部とを有するボディ部と、
前記第２の内部キャビティ部と前記フロント部の間に位置し且つ前記トウ部と前記ヒール部の間に延設された複数のポートであり、各ポートが前記ボトム部から前記第１の内部キャビティ部内に延びる、前記複数のポートと、
を備えたゴルフクラブヘッドであって、
前記第２の内部キャビティ部は、弾性ポリマー材料で少なくとも５０％が充填されていることを特徴とするゴルフクラブヘッド。
【請求項２】
請求項１に記載のゴルフクラブヘッドにおいて、
記第２の内部キャビティ部は、前記ボディ部内にあり且つ前記第１の内部キャビティ部とは別個であることを特徴とするゴルフクラブヘッド。
【請求項３】
請求項１に記載のゴルフクラブヘッドにおいて、
前記複数のポートのうちの少なくとも１つのポートは、前記第２の内部キャビティ部に接続され、
前記第２の内部キャビティ部は、前記少なくとも１つのポートから弾性ポリマー材料で充填されていることを特徴とするゴルフクラブヘッド。
【請求項４】
請求項１に記載のゴルフクラブヘッドにおいて、
前記トウ部と前記ヒール部の間に延設され且つ前記複数のポートと前記フロント部の間に位置する、前記ボトム部上の溝部を更に備えたことを特徴とするゴルフクラブヘッド。
【請求項５】
請求項１に記載のゴルフクラブヘッドにおいて、
前記複数のポートと実質的に平行に延設された、前記ボトム部上の溝部を更に備えたことを特徴とするゴルフクラブヘッド。
【請求項６】
請求項１に記載のゴルフクラブヘッドにおいて、
前記複数のポートは、前記トウ部と前記ヒール部の間の前記ボトム部の中央部に前記フェース部と実質的に同じ方向に延設された第１セットのポートと、前記第１セットのポートから前記トウ部と前記リア部に向かって延設された第２セットのポートと、前記第１セットのポートから前記ヒール部と前記リア部に向かって延設された第３セットのポートとを含むことを特徴とするゴルフクラブヘッド。
【請求項７】
請求項１に記載のゴルフクラブヘッドにおいて、
前記トウ部と前記ヒール部の間に前記フェース部と実質的に同じ方向に延設された前記ボトム部上の第１の溝部と、前記第１の溝部から前記トウ部と前記リア部に向かって延設された前記ボトム部上の第２の溝部と、前記第１の溝部から前記ヒール部と前記リア部に向かって延設された前記ボトム部上の第３の溝部とを更に備えたことを特徴とするゴルフクラブヘッド。
【請求項８】
第１の内部キャビティ部と、トウ部と、ヒール部と、トップ部と、ボトム部と、リア部と、フェース部を持つフロント部とを有するボディ部と、
前記ボディ部内にある第２の内部キャビティ部であり、前記リア部と前記ボトム部の近くに位置する第２の内部キャビティ部と、
第１の経路に沿って前記トウ部と前記ヒール部の間に延設された複数のポートであり、各ポートが前記ボトム部から前記第１の内部キャビティ部内に延びる、前記複数のポートと、
前記第１の経路と実質的に同様な第２の経路に沿って前記トウ部と前記ヒール部の間に延設された前記ボトム部上の外側支持部であり、前記複数のポートと前記フロント部の間に位置する、前記外側支持部と、
を備えたゴルフクラブヘッドであって、
前記第２の内部キャビティ部は、弾性ポリマー材料で少なくとも５０％が充填されていることを特徴とするゴルフクラブヘッド。
【請求項９】
請求項８に記載のゴルフクラブヘッドにおいて、
記第２の内部キャビティ部は、前記第１の内部キャビティ部とは別個であることを特徴とするゴルフクラブヘッド。
【請求項１０】
請求項８に記載のゴルフクラブヘッドにおいて、
前記複数のポートのうちの少なくとも１つのポートは、前記第２の内部キャビティ部に接続され、
前記第２の内部キャビティ部は、前記少なくとも１つのポートから弾性ポリマー材料で充填されていることを特徴とするゴルフクラブヘッド。
【請求項１１】
請求項８に記載のゴルフクラブヘッドにおいて、
前記複数のポートは、前記トウ部と前記ヒール部の間に前記フェース部と実質的に同じ方向に延設された第１セットのポートと、前記第１セットのポートから前記トウ部と前記リア部に向かって延設された第２セットのポートと、前記第１セットのポートから前記ヒール部と前記リア部に向かって延設された第３セットのポートとを含むことを特徴とするゴルフクラブヘッド。
【請求項１２】
請求項８に記載のゴルフクラブヘッドにおいて、
前記外側支持部は、前記トウ部と前記ヒール部の間に前記フェース部と実質的に同じ方向に延設された第１の溝部と、前記第１の溝部から前記トウ部と前記リア部に向かって延設された第２の溝部と、前記第１の溝部から前記ヒール部と前記リア部に向かって延設された第３の溝部とを含むことを特徴とするゴルフクラブヘッド。
【請求項１３】
第１の内部キャビティ部と、リア部とボトム部の位置又はその近くの位置にある第２の内部キャビティ部と、トウ部と、ヒール部と、トップ部と、前記ボトム部と、前記リア部と、フェース部を持つフロント部とを有するボディ部と、
前記第２の内部キャビティ部と前記フロント部の間の前記ボトム部上に前記トウ部と前記ヒール部の間の方向に延設された複数のポートであり、その各ポートがポート径と関連付けられた、前記複数のポートと、
を備えたゴルフクラブヘッドであって、
前記複数のポートのうちの隣接する各ポートは、ポート径以下の間隔を置いて配置され、
前記複数のポートは、前記トウ部から前記ヒール部までの最大距離の５０％以上に延設され、
前記第２の内部キャビティ部は、弾性ポリマー材料で少なくとも５０％が充填されていることを特徴とするゴルフクラブヘッド。
【請求項１４】
請求項１３に記載のゴルフクラブヘッドにおいて、
記第２の内部キャビティ部は、前記ボディ部内にあり且つ前記第１の内部キャビティ部とは別個であることを特徴とするゴルフクラブヘッド。
【請求項１５】
請求項１３に記載のゴルフクラブヘッドにおいて、
前記複数のポートのうちの少なくとも１つのポートは、前記第２の内部キャビティ部に接続され、
前記第２の内部キャビティ部は、前記少なくとも１つのポートから弾性ポリマー材料で充填されていることを特徴とするゴルフクラブヘッド。
【請求項１６】
請求項１３に記載のゴルフクラブヘッドにおいて、
前記トウ部と前記ヒール部の間に延設された、前記ボトム部上の溝部を更に備えたことを特徴とするゴルフクラブヘッド。
【請求項１７】
請求項１３に記載のゴルフクラブヘッドにおいて、
前記トウ部と前記ヒール部の間に延設され且つ前記複数のポートと前記フロント部の間に位置する、前記ボトム部上の溝部を更に備えたことを特徴とするゴルフクラブヘッド。
【請求項１８】
請求項１３に記載のゴルフクラブヘッドにおいて、
前記複数のポートと実質的に平行に延設された、前記ボトム部上の溝部を持つ外側支持部を更に備えたことを特徴とするゴルフクラブヘッド。
【請求項１９】
請求項１３に記載のゴルフクラブヘッドにおいて、
前記複数のポートは、前記トウ部と前記ヒール部の間に前記フェース部と実質的に同じ方向に延設された第１セットのポートと、前記第１セットのポートから前記トウ部と前記リア部に向かって延設された第２セットのポートと、前記第１セットのポートから前記ヒール部と前記リア部に向かって延設された第３セットのポートとを含むことを特徴とするゴルフクラブヘッド。
【請求項２０】
請求項１３に記載のゴルフクラブヘッドにおいて、
前記ボトム部上にある外側支持部を更に備え、
前記外側支持部は、前記トウ部と前記ヒール部の間に前記フェース部と実質的に同じ方向に延設された第１の溝部と、前記第１の溝部から前記トウ部と前記リア部に向かって延設された第２の溝部と、前記第１の溝部から前記ヒール部と前記リア部に向かって延設された第３の溝部とを含むことを特徴とするゴルフクラブヘッド。
【国際調査報告】
2019519325.tif 000033
2019519325.tif 000034
2019519325.tif 000035